(57)【要約】      （修正有）【課題】トーションビーム式懸架装置の横部材の機械的強度を高める。【解決手段】横部材１２が、アーチ状の中央部１２ａと、一対の真っ直ぐな端部１２ｂと、前記中央部１２ａとそれぞれの端部１２ｂとの間にそれぞれ介装される一対のアーチ状の接続部１２ｃと、を一体的に形成する閉じた断面を有するただ１つの鋼製部品で構成され、前記接続部１２ｃの各々が、前記中央部１２ａとは反対の側を向く凹部を有し、前記中央部１２ａが、横部材に所望の慣性特性をもたらすような形状の中央断面を有するように押しつぶされている。【選択図】図３
2014196102.tif 000002
【特許請求の範囲】
【請求項１】
自動車のトーションビーム式車軸懸架装置（１０）、特に後輪の懸架装置の横部材（１２）であって、アーチ状の中央部（１２ａ）と、トーションビーム式車軸（１０）のそれぞれのトレーリングアーム（１４）へと堅固に接続されるように構成された一対の端部（１２ｂ）とを一体的に形成するただ１つの鋼製部品で構成されている横部材（１２）であり、
前記ただ１つの鋼製部品が、一対のアーチ状の接続部（１２ｃ）をさらに形成する閉じた断面を有する部品であって、該接続部（１２ｃ）の各々が、前記中央部（１２ａ）とそれぞれの端部（１２ｂ）との間に位置し、前記中央部（１２ａ）とは反対の側を向く凹部を有していることを特徴とする横部材。
【請求項２】
前記端部（１２ｂ）が、真っ直ぐな部位である請求項１に記載の横部材。
【請求項３】
前記中央部（１２ａ）が、所与の形状を有する中央断面を有するように押しつぶされている請求項１または２に記載の横部材。
【請求項４】
前記中央部（１２ａ）の湾曲した軸が延在する中央面が、該中央部（１２ａ）の中央断面の押しつぶしの中央面に対して傾けられている請求項３に記載の横部材。
【請求項５】
前記ただ１つの鋼製部品の鋼が、
・マンガンボロン鋼、
・冷間または熱間圧延による低合金高強度鋼、
・冷間または熱間圧延による多相高強度鋼、
・二相高強度鋼、
・フェライトベイナイト高強度鋼、および
・高合金クロムステンレス鋼
を含むグループにおいて選択される請求項１〜４のいずれか一項に記載の横部材。
【請求項６】
前記端部（１２ｂ）が、前記中央部（１２ａ）の断面の外周よりも大きい外周を有する断面を有している請求項１〜５のいずれか一項に記載の横部材。
【請求項７】
請求項１〜６のいずれか一項に記載の横部材（１２）と、該横部材（１２）のそれぞれの端部（１２ｂ）へとそれぞれ堅固に接続された一対のトレーリングアーム（１４）と、を備えている自動車のトーションビーム式車軸懸架装置、特に後輪の懸架装置。
【請求項８】
前記トレーリングアーム（１４）の軸が、同じ平面内を延びており、前記横部材（１２）の前記端部（１２ｂ）の軸が、前記平面内を延びている請求項７に記載の懸架装置。
【請求項９】
自動車のトーションビーム式車軸懸架装置（１０）、特に後輪の懸架装置の横部材を製造するための方法であって、
ａ）真っ直ぐな鋼製の管状部品を所望の長さへと切断するステップ、および
ｂ）前記部品の中央部（１２ａ）を、所与のアーチ状の輪郭をとるように、かつ該管の１対の端部（１２ｂ）へとそれぞれが該中央部（１２ａ）とは反対の側に凹部を向けている１対の接続部（１２ｃ）を介してつながるように成形するステップ
を含んでいる方法。
【請求項１０】
ｃ）前記部品の少なくとも前記中央部（１２ａ）を、該中央部（１２ａ）の中央断面に所与の形状を与えるように押しつぶすステップ
をさらに含んでいる請求項９に記載の方法。
【請求項１１】
ステップｂ）およびｃ）の間に、
ｄ）前記部品を所与の角度だけ回転させるステップ
をさらに含んでいる請求項１０に記載の方法。
【請求項１２】
ｅ）前記部品の前記端部（１２ｂ）の各々を、該端部（１２ｂ）の断面が、前記中央部（１２ａ）の前記中央断面よりも大きい外周を有するように拡大させるステップ
をさらに含んでいる請求項９〜１１のいずれか一項に記載の方法。
【発明の詳細な説明】
【技術分野】
【０００１】
本発明は、自動車用のトーションビーム式車軸懸架装置（特に、後輪の懸架装置）の横部材およびその製造方法に関する。
【背景技術】
【０００２】
中央の横部材と、この横部材の横方向の両端に剛に接続され、後端に車輪の軸を支持するためのそれぞれの部材を保持しており、前端に車体への取り付けのためのそれそれの部材を保持している一対のトレーリングアームと、を備えている自動車用のトーションビーム式後ろ車軸懸架装置が、知られている。トレーリングアームを、通常の荷重の条件下で無視できる程度の変形しか被らないという点で、剛体部品と考えることができる一方で、横部材は、トレーリングアームを互いに他方に対して弾性的に回転させることができるよう、特にねじりのもとでの特定の弾性を有していなければならない。
【０００３】
横部材の長さは、車両のトレッドに関係し、したがって基本的に個々の用途によって決まるため、横部材のねじり剛性を、横部材の断面（特に、中央面における断面）を適切に形作ることによって、所与の設計値をとるように変えることができる。これに関し、現時点において自動車用のトーションビーム式車軸懸架装置に使用されている横部材を、２つの別々の種類に分類することができる。一方では、通常はプレスまたは他の塑性変形プロセスによって得られ、さまざまな形状（例えば、Ｃ字、Ｕ字、Ｖ字、またはΩ状の形状）の輪郭を備える断面を有している金属薄板製の梁で構成される開断面の横部材が存在する。他方では、金属製の管状の梁で構成され、そのような梁が、梁に所望のねじり剛性の特徴をもたらすために、断面に所定の形状を与えるべく例えばプレスまたはハイドロ成形プロセスによって塑性変形させられている閉断面の横部材が存在する。特に、横部材の断面について最も重要な特徴は、せん断中心の垂直位置である。なぜならば、せん断中心の垂直位置が、操縦性に関する懸架装置の性能の評価のための最も重要なパラメータの１つであるロール時の懸架装置の先端部の変化に、直接的かつ大きな影響を及ぼすからである。縦方向のサイズが同じであるが、形状および向きが異なる中央断面を有する横部材においては、せん断中心が異なる高さに位置し、したがって懸架装置の運動および弾性運動性能に異なる様相で影響を及ぼす。
【０００４】
断面の形状にかかわらず、現時点において自動車用のトーションビーム式車軸懸架装置に使用されている横部材は、おおむね水平方向に延びており、すなわち横部材の軸が、実質的に水平な平面内にある。そのような横部材の構造は、トーションビーム式車軸懸架装置のトレーリングアームによって保持される車輪が駆動輪である場合に、利用できる空間の問題を引き起こす。例えば、四輪駆動または後輪駆動の自動車のトーションビーム式後ろ車軸懸架装置の場合が該当する。利用できる空間の問題は、基本的には、縦方向（すなわち、横部材に対して直角）に延び、したがって横部材そのものと「交差」する駆動軸の存在に起因する。
【０００５】
後輪駆動または四輪駆動の自動車にトーションビーム式車軸懸架装置を使用できるようにするために、少なくとも中央部において弓状またはアーチ状に曲げられている横部材が、欧州特許出願ＥＰ−Ａ−０７３３５０１から知られている。横部材の中央部が上方へと延びているという事実ゆえに、後輪を駆動する目的の駆動軸が、横部材と干渉することなく中央部の下方を通過することができる。横部材を、その全幅にわたってアーチ状にすることができ、あるいは中央部だけを、真っ直ぐであるそれぞれの端部に滑らかにつながるようにアーチ状にしてもよい。横部材の両端部は、アーチ状であっても、真っ直ぐであっても、水平に対して傾いている。他方で、トレーリングアームは水平に延びているため、横部材の端部とトレーリングアームとの間の溶接接合部は、結果的にかなり不規則かつ複雑な形状を有し、このことが構造的な問題を引き起こしかねないピーク値を有する不規則な応力分布につながる。
【０００６】
さらには、欧州特許出願ＥＰ−Ａ−０７３３５０１から公知の横部材は、開いたＵ字形の断面を有している。開断面が選択されているため、きわめて高いねじり剛性の値を達成することが不可能であり、結果として横部材が、高いねじり剛性を必要とする用途には適さないものになっている。さらに、アーチ形の横部材では、横部材のねじり剛性を高めるためにトーションバーを追加することが不可能である。
【０００７】
欧州特許出願ＥＰ−Ａ−１０８０９５４号が、鋼管の冷間成形によって得られる自動車用のトーションビーム式後ろ車軸懸架装置の横部材を開示している。横部材が、水平方向に延びており、二重壁の実質的にＵ字形の断面を有している中央部と、円形の断面（この横部材の素材である鋼管の断面に対応する）を有している一対の端部と、中央部をそれぞれの端部に接続する一対の中間部とを備えており、中間部が、横方向外側の端部における円形の形状から横方向内側の端部におけるＵ字状の形状へと連続的に変化する断面形状を有している。
【発明の概要】
【発明が解決しようとする課題】
【０００８】
本発明の目的は、自動車のトーションビーム式後ろ車軸懸架装置の弓状の横部材であって、高い機械的強度を有しており、中央断面のせん断中心の位置について設計者に大きな自由度を提供し、駆動軸および他の部品（例えば、給油口をタンクへと接続する管）の存在によって利用可能な空間が少なくなっている用途にも使用することができる横部材を提供することにある。
【課題を解決するための手段】
【０００９】
この目的および他の目的が、本発明によれば、添付の独立請求項１に記載の特徴を有する自動車のトーションビーム式車軸懸架装置の横部材によって、充分に達成される。
【００１０】
本発明による自動車のトーションビーム式車軸懸架装置の横部材の好都合な実施の形態が、従属請求項の主題であり、従属請求項の内容は、本明細書の一体の一部分として意図される。
【００１１】
本発明の別の態様によれば、上述の目的および他の目的が、自動車のトーションビーム式車軸懸架装置の横部材を製造するための方法であって、添付の独立請求項９に記載の段階を含む方法によって、充分に達成される。
【００１２】
要約すると、本発明は、トーションビーム式車軸懸架装置の弓状の横部材であって、アーチ状の中央部と、それぞれが懸架装置のそれぞれのトレーリングアームへと堅固に接続されるように意図された一対の端部と、前記中央部とそれぞれの端部との間にそれぞれ介装され、それぞれが凹部を前記中央部とは反対の側に向けている一対のアーチ状の接続部と、を有するように適切に形作られた閉じた断面のただ１つの鋼製部品で構成された横部材を提供するという考え方にもとづいている。
【００１３】
前記端部は、好ましくは水平方向の真っ直ぐな部位である。横部材は、好ましくは、管をアーチ状の中央部の少なくとも一部分において適切に押しつぶすことで、中央断面の形状を必要とされる慣性特性をもたらすような形状とすることによって得られる。
【００１４】
アーチ状の中央部のおかげで、横部材を、四輪駆動または後輪駆動の自動車のトーションビーム式後ろ車軸懸架装置において、駆動軸との干渉を生じることなく使用することができる。同時に、水平方向の真っ直ぐな端部のおかげで、横部材が、一方では、上述した従来技術に比べて利用可能な空間の問題を抱えることが少なく、他方では、上述した従来技術よりもより規則的な形状を有するトレーリングアームとの接合縁を有し、したがって応力のピークの発生に起因する上述の問題が生じない。さらには、押しつぶされた管の使用ゆえ、一方では、閉じており、したがってたとえトーションバーがなくても（横部材が弓状の形状であるがゆえに、そもそも使用できない可能性もある）高いねじり剛性の値をもたらすことができ、他方では、懸架装置の運動および弾性運動の要件に照らして、所望の位置にせん断中心を位置させるように適切に形作ることができる中央断面が得られる。
【００１５】
本発明の別の好都合な特徴によれば、横部材のアーチ状の中央部の押しつぶしの中央面（以下では、単に「押しつぶしの平面」と称する）の向きを、横部材の湾曲した軸が延在する中央面（以下では、単に「反りの平面」と称する）の向きとは別個独立に設定することができる。したがって、押しつぶしの平面（その向きは、中央断面のせん断中心の位置に関連しており、したがって懸架装置の運動および弾性運動性能に影響する）および反りの平面（その向きは、横部材が従わなければならないサイズの制約に関連する）を、一致させる必要がなく、お互いに対して傾けることもできる。その結果、懸架装置の設計者が、懸架装置の配置ならびに運動および弾性運動性能の両者に関する種々の要件の間の最良の妥協の追求において、広い自由度を手にする。
【００１６】
本発明の別の特徴によれば、トーションビーム式車軸のトレーリングアームへと堅固に接続されるように意図された横部材の前記端部が、拡大された断面を有しており、すなわち横部材の中央部の断面の外周よりも大きい外周の断面を有している。中央部に対する端部の外周の増加の程度は、当然ながら横部材の素材の変形吸収能力に関係する限界の範囲内で、個々の用途に応じてさまざまである。得られるトレーリングアームとの接合領域の慣性特性の増加が、機械的強度の向上につながり、したがってより大きなねじりモーメントを伝達できるようになるとともに、横方向の荷重に対するトーションビーム式車軸の剛性を向上させ、車両の操縦性の改善をもたらす。
【００１７】
本発明のさらなる特徴および利点が、添付の図面を参照しつつ、あくまでも本発明を限定するものではない例として提示される以下の詳細な説明から、さらに明らかになるであろう。
【図面の簡単な説明】
【００１８】
【図１】本発明の好ましい実施の形態による横部材を有している自動車の後輪の懸架装置のトーションビーム式車軸の斜視図である。
【図２】図１のトーションビーム式車軸の横部材の斜視図である。
【図３】図１のトーションビーム式車軸の横部材の正面図である。
【図４】図１のトーションビーム式車軸の横部材の側面図である。
【図５】図１のトーションビーム式車軸の横部材の中央断面を示している。
【発明を実施するための形態】
【００１９】
以下の説明および特許請求の範囲において、「長手方向」および「横方向」、「内側」および「外側」、「前方」および「後方」、「上方」および「下方」、などといった用語は、横部材が自動車に取り付けられた状態に関するものとして意図されている。
【００２０】
まず図１を参照すると、自動車の懸架装置（特に、後輪の懸架装置）のトーションビーム式車軸の全体が、１０で指し示されており、基本的に、弓状の横部材１２と、横部材１２の横方向の両端にそれぞれ堅固に接続された一対のトレーリングアーム１４とを備えている。トレーリングアーム１４の各々が、車輪保持部材１６と、トーションビーム式車軸１０を車体（図示されていない）へと関節接続するためのブッシュ座１８と、ばね（図示されていない）を支持するためのプレート２０と、ショックアブソーバ（やはり図示されていない）のための取り付け部材２２とを保持している。
【００２１】
横部材１２は、好ましくはマンガンボロン鋼（例えば、２０ＭｎＢ５鋼）からなり、あるいは低合金高強度鋼（冷間または熱間圧延による）、多相高強度鋼（冷間または熱間圧延による）、二相高強度鋼（例えば、ＤＰ６００鋼）、フェライトベイナイト高強度鋼、または高合金クロムステンレス鋼からなる、１本の鋼管で構成されている。ここで、図２〜４も参照すると、横部材１２が、中央部１２ａと、横部材をトレーリングアーム１４に接続するための一対の横方向の両端部１２ｂと、それぞれの端部１２ｂを中央部１２ａにつないでいる一対の接続部１２ｃと、を一体的に備えている。
【００２２】
横部材１２の中央部１２ａは、アーチ状の形状を有しており、すなわち、その軸が直線に沿って延びているのではなく、凹部を下向きに有しているアーチ状の曲線に沿って延びており、したがって端部１２ｂよりも高い高さに位置している。横部材１２の上反り、すなわち中央部１２ａと端部１２ｂとの間の垂直距離は、好ましくは１００ｍｍよりも大きいかなり大きな値をとることができる。したがって、自動車の駆動軸を干渉を生じることなく横部材の中央部１２ａの下方に通すことができるため、横部材１２を、後輪または四輪駆動の自動車のトーションビーム式後ろ車軸懸架装置に使用することができる。中央部１２ａは、例えばＣ字、Ｕ字、Ｖ字、またはΩ状の形状などの適切な形状を備え、あるいは横部材を形成する鋼管を押しつぶすことによって得られるつぶれた耳たぶ状の部位を有する形状を備えている閉じた断面を有している。横部材の中央断面の特定の例が、図５に示されている。本明細書の導入部においてすでに述べたように、閉じた断面を使用することで、トーションバーに頼ることなく、高いねじり剛性の値を達成することが可能になる。
【００２３】
横部材１２の端部１２ｂは、好ましくは真っ直ぐな部位であり、好ましくは水平面内を延びており、すなわち実質的にトレーリングアーム１４と同じ平面内を延びている。したがって、端部１２ａの各々が、かなり滑らかに延び、したがって構造的な問題を引き起こすような高いピークが存在しない滑らかな応力分布をもたらすそれぞれのトレーリングアーム１４との溶接接続のための接合縁２４を有している。本明細書の導入部においてすでに述べたように、水平方向の真っ直ぐな端部の使用は、横部材のサイズの問題の軽減も可能にする。
【００２４】
一実施の形態によれば、横部材１２の端部１２ｂが、横部材１２の素材である鋼管の外周よりも大きい外周を有しており、すなわち中央部１２ａの外周よりも大きい外周を有している。中央部１２ａに対する端部１２ｂの断面の外周の増加の程度は、当然ながら横部材の素材の変形吸収能力ゆえの限界の範囲内で、個々の用途に応じてさまざまである。得られるトレーリングアームとの接合領域の慣性特性の増加が、機械的強度の向上につながり、したがってより大きなねじりモーメントを伝達できるようになるとともに、横方向の荷重に対するトーションビーム式車軸の剛性を向上させ、車両の操縦性の改善をもたらす。
【００２５】
横部材１２の接続部１２ｃは、凹部を中央部１２ａとは反対側（上向き）に向けているアーチ状の部位である。したがって、横部材１２は、接続部１２ｃと中央部１２ａとの間の領域に凹面の２度の変化を有しているおおむね湾曲した輪郭を有している。
【００２６】
横部材１２は、鋼管の成形および押しつぶしによって得られる。より具体的には、第１の作業によって、必要とされる弓状の輪郭を有する横部材がもたらされる一方で、第２の作業によって、横部材（特に、横部材の中央部）に必要とされる断面がもたらされる。これら２つの作業は、所与の方向（典型的には、垂直方向）に動かされる専用の工具（すなわち、成形工具および曲げ工具）による鋼管の冷間または熱間変形によって実行される。本発明の好都合な特徴によれば、懸架装置の設計者が懸架装置の配置ならびに運動および弾性運動性能の両方に関して種々の要件の間の最良の妥協を選択できるよう、成形面の向きおよび上反りの平面の向きを、互いに別個独立に選択することができる。そのような可能性は、横部材の製造方法が、成形作業と曲げ作業との間に、被加工物を成形面と上反りの平面との間の所望の傾きの角度に等しい角度αだけ回転させることができる可能性を提供することによってもたらされる。この角度を、図４の側面図において明確に見て取ることができる。
【００２７】
本発明による横部材の製造方法は、基本的に以下の工程、すなわち
ａ）適切な直径の鋼管を所望の長さへと切断するステップ、
ｂ）必要とされる湾曲した輪郭を与えるように管を成形するステップ、
ｃ）成形面と押しつぶしの平面との間の所与の傾きの角度を得るために、成形後の管を必要であれば回転させるステップ、
ｄ）管を押しつぶし、特に管のアーチ状の中央部を押しつぶし、必要とされる形状を有する断面をもたらすステップ、
ｅ）管を放置して回復させるステップ、
ｆ）管の端部を、必要であれば、管の断面の外周よりも大きい外周の断面を有するような程度まで、拡大および調整するステップ、
ｇ）管を熱処理するステップ、
ｈ）管を調整するステップ、および
ｉ）油圧式または機械式の切断工具あるいはレーザまたはプラズマ切断装置によって、管を最終的に切断するステップ
を含んでいる。
【００２８】
上述の種々の工程の実行の順序は、上記開示の順序と異なってもよく、例えば横部材の端部の拡大を、横部材に必要とされるアーチ状の形状を与える前に実行してもよく、すなわち上記においてステップｂ）と称されている成形ステップの前に実行してもよい。いくつかの工程を、それらが不要である場合には、省略することさえ可能である。
【００２９】
当然ながら、本発明の原理を変えないままで、添付の特許請求の範囲に定められる本発明の技術的範囲から離れることなく、実施の形態および構成の詳細を、あくまでも本発明を限定するものではない例として説明および図示した実施の形態および構成の詳細に関して、幅広く変更することが可能である。
【図１】
2014196102.tif 000003
【図２】
2014196102.tif 000004
【図３】
2014196102.tif 000005
【図４】
2014196102.tif 000006
【図５】
2014196102.tif 000007
【手続補正書】
【提出日】平成26年6月10日(2014.6.10)
【手続補正１】
【補正対象書類名】特許請求の範囲
【補正対象項目名】全文
【補正方法】変更
【補正の内容】
【特許請求の範囲】
【請求項１】
自動車のトーションビーム式車軸懸架装置（１０）、特に後輪の懸架装置の横部材（１２）であって、アーチ状の中央部（１２ａ）と、トーションビーム式車軸（１０）のそれぞれのトレーリングアーム（１４）へと堅固に接続されるように構成された一対の端部（１２ｂ）とを一体的に形成するただ１つの鋼製部品で構成されている横部材（１２）であり、
前記ただ１つの鋼製部品が、一対のアーチ状の接続部（１２ｃ）をさらに形成する閉じた断面を有する部品であって、該接続部（１２ｃ）の各々が、前記中央部（１２ａ）とそれぞれの端部（１２ｂ）との間に位置し、前記中央部（１２ａ）とは反対の側を向く凹部を有していることを特徴とする横部材。
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
自動車のトーションビーム式車軸懸架装置（１０）の横部材（１２）であって、
前記横部材（１２）は、閉じた横断面を有する１つの鋼管製品で構成されており、
前記横部材（１２）は、
・水平軸の中央を下方に向けて凹状に湾曲した軸に沿って延びており、前記湾曲した軸を含む第１の面を前記水平軸の周りで所定角度（α）だけ回転してなる第２の面に沿って上方に向けて凹状に押しつぶされた横断面を有するアーチ状の中央部（１２ａ）と、
・トーションビーム式車軸（１０）のそれぞれのトレーリングアーム（１４）へと堅固に接続されるように構成された一対の端部（１２ｂ）と、
・前記中央部（１２ａ）とそれぞれの端部（１２ｂ）との間にそれぞれ介装され、それぞれが上方に向けて凹状に湾曲した一対のアーチ状の接続部（１２ｃ）を備えていることを特徴とする横部材。
【請求項２】
前記端部（１２ｂ）が、トレーリングアーム（１４）に向かって真っ直ぐに伸びる部位である請求項１に記載の横部材。
【請求項３】
前記鋼製部品の鋼が、
・マンガンボロン鋼、
・冷間または熱間圧延による低合金高強度鋼、
・冷間または熱間圧延による多相高強度鋼、
・二相高強度鋼、
・フェライトベイナイト高強度鋼、又は
・高合金クロムステンレス鋼
のいずれかである請求項１または２に記載の横部材。
【請求項４】
前記端部（１２ｂ）が、前記中央部（１２ａ）の横断面の外周よりも大きい外周を有する断面を有している請求項１〜３のいずれか一項に記載の横部材。
【請求項５】
請求項１〜４のいずれか一項に記載の横部材（１２）と、該横部材（１２）のそれぞれの端部（１２ｂ）へとそれぞれ堅固に接続された一対のトレーリングアーム（１４）と、を備えている自動車のトーションビーム式車軸懸架装置。
【請求項６】
前記トレーリングアーム（１４）の軸が、1つの平面内を延びており、前記横部材（１２）の前記端部（１２ｂ）の軸が、前記平面内を延びている請求項５に記載の懸架装置。
【請求項７】
自動車のトーションビーム式車軸懸架装置（１０）の横部材（１２）を製造するための方法であって、
ａ）水平軸を有する真っ直ぐな鋼製の管状部品を所望の長さへと切断するステップ、
ｂ）前記水平軸の中央を下方に向けて凹状に湾曲した軸に沿うように前記管状部材の中央部（１２ａ）をアーチ状に曲げるステップ、
ｃ）前記管状部材の中央部（１２ａ）と前記管状部材の両端部（１２ｂ）との間を繋ぐ一対の接続部（１２ｃ）を上方に向けて凹状にアーチ状に曲げるステップ、
ｄ）前記水平軸の周りで前記管状部材を所定角度（α）だけ回転するステップ、
ｅ）前記湾曲した軸を含む第１の面を前記水平軸の周りで所定角度（α）だけ回転してなる第２の面に沿って前記中央部（１２ａ）を押しつぶして該中央部（１２ａ）の横断面を凹状にするステップを含む方法。
【請求項８】
ｆ）前記部品の前記端部（１２ｂ）の各々を、該端部（１２ｂ）の断面が、前記中央部（１２ａ）の前記中央断面よりも大きい外周を有するように拡大させるステップをさらに含んでいる請求項７に記載の方法。
【外国語明細書】
2014196102.tif 000008
2014196102.tif 000009
2014196102.tif 000010
2014196102.tif 000011
2014196102.tif 000012
2014196102.tif 000013
2014196102.tif 000014
2014196102.tif 000015
2014196102.tif 000016
2014196102.tif 000017
2014196102.tif 000018
2014196102.tif 000019
2014196102.tif 000020
2014196102.tif 000021